(57)【要約】【課題】炎口での混合ガスの圧力分布を均一化すると共に、炎口の下端部に生じる渦料を小さくして、炎が上下動することを防止するバーナを提供する。【解決手段】分布室から流入する混合ガスの圧力が強くなる整流部材の長手方向の端部側の整流部では、混合ガスの流入路８８の直上部に設けられている第３流路７７Ｃは、その外側の第２流路７７Ｂ、第１流路７７Ａ、第４流路７７Ｄ、第５流路７７Ｅより狭く形成され、中央部の第３流路７７Ｃの混合ガスの流量を減少させて、炎口での混合ガスの圧力を均一化できる。また、第２流路７７Ｂ及び第１流路７７Ａの下端部には、空間部１０２が形成され、第４流路７７Ｄ及び第５流路７７Ｅの下端部には、空間部１０１が形成されているので、第１流路７７Ａ、第２流路７７Ｂ、第４流路７７Ｄ及び第５流路７７Ｅに流入する混合ガスの圧力を均一化できる。【選択図】図９
2010261619.tif 000002
【特許請求の範囲】
【請求項１】
上方に開口する細長形状の炎口部を上端部に有し、前記炎口部の長尺方向を前後方向、前記炎口部の短尺方向を横方向として、当該横方向に対峙する一対の側板で構成されるバーナ本体と、前記炎口部内に配設され、前記横方向に並設した複数の整流板を有する整流部材とを備え、当該整流部材の上端部に形成した淡炎口と、当該淡炎口の前記横方向の両側で、前記整流部材と前記側板とに挟まれた位置に形成した濃炎口とを有する炎口ユニットを前記前後方向に複数列設したバーナであって、
前記炎口ユニットにおいて、前記複数の整流板のうち、中央部の炎口を構成する一対の整流板の外側に各々設けられている整流板は、その基部が所定の長さ切り取られ、当該各整流板のさらに外側に設けられている各整流板の基部と、前記中央部の炎口を構成する一対の整流板の基部との間に、空間部が各々設けられていることを特徴とするバーナ。
【請求項２】
前記複数の整流板のうち中央部の炎口を構成する一対の整流板の間隔は、他の整流板間の間隔よりも狭いことを特徴とする請求項１に記載のバーナ。
【請求項３】
前記複数の整流板間の間隔は、内側の整流板間の間隔が、その直ぐ外側の整流板間の間隔よりも狭いことを特徴とする請求項１又は２に記載のバーナ。
【請求項４】
前記バーナの基部には、燃料ガスと一次空気とが混合される混合管部と、当該混合管部に連なり、当該混合管部の上側で前記炎口部の前後方向に延在する分布管部とが設けられ、
前記分布管部から出る混合ガス流の高圧部分に前記空間部が設けられていることを特徴とする請求項１乃至３の何れかに記載のバーナ。
【発明の詳細な説明】
【技術分野】
【０００１】
本発明は、バーナに関し、詳細には、淡炎孔と濃炎孔とを備えるバーナに関する。
【背景技術】
【０００２】
従来、ガス燃焼機器においてＮＯｘ排出量を低減するために、中央の淡炎孔で理論空燃比より燃料の希薄な燃料空気混合ガス（以下、淡ガスと呼ぶ）を燃焼させて主炎を形成し、上記淡炎孔の両側の濃炎孔では理論空燃比より燃料の濃い燃料空気混合ガス（以下、濃ガスと呼ぶ）を燃焼させて袖火を形成する低ＮＯｘバーナが利用されている。
【０００３】
例えば、中央の淡炎孔と両側の濃炎孔とを一体形成してユニット化したバーナユニットを備える低ＮＯｘバーナが知られている（例えば、特許文献１参照）。この従来の低ＮＯｘバーナでは、分布管部上方には、複数の整流板から成る炎口が形成されている。また、この低ＮＯｘバーナの長手方向において、炎口への混合ガスの噴出圧力の均一化を図る為、絞り部が形成されている。
【先行技術文献】
【特許文献】
【０００４】
【特許文献１】特開２００１−１８２９１０号公報
【発明の概要】
【発明が解決しようとする課題】
【０００５】
しかしながら、絞り部を通過した流速の速い混合ガスが前記炎口を形成する複数の整流板の下部を直撃するため炎口の中央部の圧力のみ高く、低ＮＯｘバーナの長手方向と直交する方向での圧力分布が均一にならないという問題点があった。また、整流板の下端部近傍に渦流が生じ、炎が上下動するという問題点があった。
【０００６】
本発明は、上記課題を解決するためになされたものであり、炎口での混合ガスの圧力分布を均一化すると共に、炎口の下端部に生じる渦料を小さくして、炎が上下動することを防止するバーナを提供することを目的とする。
【課題を解決するための手段】
【０００７】
上記目的を達成するために、請求項１に係る発明のバーナは、上方に開口する細長形状の炎口部を上端部に有し、前記炎口部の長尺方向を前後方向、前記炎口部の短尺方向を横方向として、当該横方向に対峙する一対の側板で構成されるバーナ本体と、前記炎口部内に配設され、前記横方向に並設した複数の整流板を有する整流部材とを備え、当該整流部材の上端部に形成した淡炎口と、当該淡炎口の前記横方向の両側で、前記整流部材と前記側板とに挟まれた位置に形成した濃炎口とを有する炎口ユニットを前記前後方向に複数列設したバーナであって、前記炎口ユニットにおいて、前記複数の整流板のうち、中央部の炎口を構成する一対の整流板の外側に各々設けられている整流板は、その基部が所定の長さ切り取られ、当該各整流板のさらに外側に設けられている各整流板の基部と、前記中央部の炎口を構成する一対の整流板の基部との間に、空間部が各々設けられていることを特徴とする。
【０００８】
また、請求項２に係る発明のバーナは、請求項１に記載の発明の構成に加え、前記複数の整流板のうち中央部の炎口を構成する一対の整流板の間隔は、他の整流板間の間隔よりも狭いことを特徴とする。
【０００９】
また、請求項３に係る発明のバーナは、請求項１又は２に記載の発明の構成に加え、前記複数の整流板間の間隔は、内側の整流板間の間隔が、その直ぐ外側の整流板間の間隔よりも狭いことを特徴とする。
【００１０】
また、請求項４に係る発明のバーナは、請求項１乃至３の何れかに記載の発明の構成に加え、前記バーナの基部には、燃料ガスと一次空気とが混合される混合管部と、当該混合管部に連なり、当該混合管部の上側で前記炎口部の前後方向に延在する分布管部とが設けられ、前記分布管部から出る混合ガス流の高圧部分に前記空間部が設けられていることを特徴とす。
【発明の効果】
【００１１】
請求項１に係るバーナでは、前記炎口ユニットにおいて、前記複数の整流板のうち、中央部の炎口を構成する一対の整流板の外側に各々設けられている整流板は、その基部が所定の長さ切り取られ、当該各整流板のさらに外側に設けられている各整流板の基部と、前記中央部の炎口を構成する一対の整流板の基部との間に、空間部が各々設けられているので、広い流路となる空間部を介して、各整流により形成される流路に混合ガスが流入するので、混合ガスの流れは緩やかとなり、流路の下端部の外側に混合ガスの大きな渦流が生じない。従って、混合ガスの流れが安定して、炎口に形成される火炎が上下に振動することを防止できる。
【００１２】
また、請求項２に係るバーナでは、請求項１に記載の発明の効果に加え前記複数の整流板のうち中央部の炎口を構成する一対の整流板の間隔は、他の整流板間の間隔よりも狭いので、中央部の炎口の混合ガスの流量を減少させて、炎口での混合ガスの圧力を均一化できる。
【００１３】
また、請求項３に係るバーナでは、請求項１又は２に記載の発明の効果に加え、前記複数の整流板間の間隔は、内側の整流板間の間隔が、その直ぐ外側の整流板間の間隔よりも狭いので、内側の炎口ほど、混合ガスの流路の幅が狭くなり、炎口での混合ガスの圧力を均一化できる。
【００１４】
また、請求項４に係るバーナでは、請求項１乃至３の何れかに記載の発明の効果に加え、前記バーナの基部には、燃料ガスと一次空気とが混合される混合管部と、当該混合管部に連なり、当該混合管部の上側で前記炎口部の前後方向に延在する分布管部とが設けられ、前記分布管部から出る混合ガス流の高圧部分に前記空間部が設けられているので、混合ガス流の高圧部分が衝突する炎口部での混合ガスの圧力を均一化できる。
【図面の簡単な説明】
【００１５】
【図１】バーナ１の斜視図である。
【図２】バーナ１の平面図である。
【図３】図２に示す炎口ユニット９５周辺の部分拡大図である。
【図４】淡バーナユニット２０の斜視図である。
【図５】濃バーナユニット４０の斜視図である。
【図６】整流部材７０の斜め上側から見た斜視図である。
【図７】整流部材７０の斜め下側から見た斜視図である。
【図８】図１に示すＩ−Ｉ線矢視方向断面図である。
【図９】図１に示すＩＩ−ＩＩ線矢視方向断面図である。
【図１０】変形例であるバーナ１００の要部の断面図である。
【発明を実施するための形態】
【００１６】
以下、本発明の一実施形態であるバーナ１について、図面を参照して説明する。以下説明において、図１の左斜め下方をバーナ１の前方とし、右斜め上方をバーナ１の後方とし、右斜め下方をバーナ１の右方とし、左斜め上方をバーナ１の左方とする。
【００１７】
本実施形態のバーナ１は、給湯器の筐体内に搭載されて使用される。バーナ１は、中央の淡炎孔８７で理論空燃比より燃料の希薄な燃料空気混合ガス（以下、淡ガスと呼ぶ）を燃焼させて主炎を形成し、淡炎孔８７の両側の濃炎孔９７，９８で理論空燃比より燃料の濃い燃料空気混合ガス（以下、濃ガスと呼ぶ）を燃焼させて袖火を形成する低ＮＯｘバーナである。
【００１８】
はじめに、バーナ１の全体構造について、図１乃至図３を参照して概略的に説明する。バーナ１は、上部が開口する薄い箱状のバーナ本体２を備えている。バーナ本体２の上部には、上方に開口する細長形状の炎口部３０が設けられている。炎口部３０の内側には、下方から流れる淡ガスを整流する複数の整流板を有する整流部材７０が取り付けられている。炎口部３０は、５本の連結片５４によって６つの領域に区画されている。その領域内には、各種炎孔を有する炎口ユニット９５が各々形成されている。従って、バーナ本体２の炎口部３０には、６つの炎口ユニット９５からなる炎口群が形成されている。
【００１９】
各炎口ユニット９５において、整流部材７０の上端部には、複数のスリット炎孔からなる淡炎孔８７が設けられている。淡炎孔８７の左右方向（横方向）の両側には、細長形状の濃炎孔９７，９８が各々設けられている。淡炎孔８７と濃炎孔９７，９８との間には、所定の隙間である環流域１３，１４（図２，図３参照）が各々設けられている。淡炎孔８７では、淡ガスが燃焼することで主炎が形成される。濃炎孔９７，９８では、濃ガスが燃焼することで袖火が形成される。主炎を一対の袖火で挟むことによって、主炎を保炎することができる。
【００２０】
図１に示すように、バーナ本体２の前端部の下側には、前方に向けて開口し、淡ガスを取り込むための正面視縦長楕円形状の淡ガス導入口２５が設けられている。バーナ本体２の下側には、バーナ本体２の前後方向に延設され、淡ガス導入口２５に連通する略直線状のガス通路２６と、該ガス通路２６の後方に向かう下流側端部から上方に折曲したガス通路２７とが設けられている。
【００２１】
ガス通路２７の上方に折曲した下流側端部には、バーナ本体２の前後方向に流路幅が拡大した側面視逆三角形状の分布室２８（図４参照）が設けられている。分布室２８は、炎口部３０の内側に連通している。分布室２８を外部から覆うように、バーナ本体２の前後方向に流路幅が拡大した側面視逆三角形状の分布室５０が設けられている。分布室５０は、後述する濃ガス導入口４５と、炎口部３０の内側とに連通している。
【００２２】
図１に示すように、淡ガス導入口２５の上側には、濃ガスを取り込むための正面視略円形状の濃ガス導入口４５が設けられている。濃ガス導入口４５には、バーナ１の前方から後方にむかって徐々に拡径するガス通路４６が連通している。ガス通路４６の下流側端部には、上方に向けて折曲したガス通路４７が設けられている。ガス通路４７の上方に折り返された下流側端部が、上述した分布室５０に連通している。
【００２３】
従って、バーナ１では、淡ガス導入口２５に流入した淡ガスと、濃ガス導入口４５に流入した濃ガスとは、後述するそれぞれのガス通路を流れ、炎口部３０の内側に流入する。淡ガスは、整流部材７０の淡炎孔８７に供給される。濃ガスは、炎口部３０における整流部材７０の外側の隙間を流れ、濃炎孔９７，９８に供給される。
【００２４】
次に、バーナ本体２の構造について説明する。図１乃至図３に示すように、バーナ本体２は、板金によるプレス成形及びスポット溶接等により形成された淡バーナユニット２０と、該淡バーナユニット２０の両側を挟むようにして、カシメ及びスポット溶接等により一体的に連結された濃バーナユニット４０とを備え、１つのユニットとして構成されている。
【００２５】
まず、淡バーナユニット２０の構造について、図４を参照して説明する。淡バーナユニット２０は、一枚の板金によるプレス成形及びスポット溶接等によって凹凸形状に形成され、側面視略長方形状に形成されている。淡バーナユニット２０の上端部には、細長形状の開口である上述した炎口部３０が設けられている。炎口部３０は、所定幅を持って対向配置した一対の側板２１，２２に挟まれた内側に形成されている。側板２１，２２の各上端部よりもやや下側の同一位置には、内側に向けて凹んだ凹部２９（図４，図８参照）が淡バーナユニット２０の前後方向に各々延設されている。
【００２６】
淡バーナユニット２０の前端部３３の下部には、上述した淡ガス導入口２５が設けられている。淡バーナユニット２０の下端部３４側には、淡ガス導入口２５に連通する上述したガス通路２６と、ガス通路２７とが各々設けられている。淡バーナユニット２０の上下方向の略中断位置には、上述した分布室２８が設けられている。分布室２８は、ガス通路２７から流れる淡ガスを、バーナ本体２の前後方向に一様に拡散させる。分布室２８を流れた淡ガスは、炎口部３０に組み付けられた整流部材７０（図１参照）に下側から流れ込む。淡炎孔８７（図１参照）において淡ガスが燃焼することで主炎が形成される。
【００２７】
次に、濃バーナユニット４０の構造について、図５を参照して説明する。濃バーナユニット４０は、板金によるプレス成形及びスポット溶接等によって凹凸形状に形成され、側面視略長方形状に形成されている。濃バーナユニット４０は、一枚の板金の略中央に沿って細長形状の炎口部用開口５３を設け、その炎口部用開口５３が上端部になるように両端を下方に折り畳んでいる。炎口部用開口５３を形成する側板４１，４２の各上端部には、上述した５本の連結片５４が所定間隔を空けて、濃バーナユニット４０の前後方向に並んで渡設されている。
【００２８】
濃バーナユニット４０の前端部５７の下部には、上述した濃ガス導入口４５が設けられている。濃バーナユニット４０の下端側には、上述したガス通路４６と、ガス通路４７とが各々設けられている。濃バーナユニット４０の略中央には、上述した分布室５０が設けられている。濃バーナユニット４０の下端部の後方には、分布室５０の最下端部に連通する膨出形状の断面半円形状のカバー部４８が設けられている。
【００２９】
次に、整流部材７０の構造について、図６乃至図９を参照して説明する。図６は、整流部材７０を斜め上側から見た斜視図であり、図７は、整流部材７０を斜め下側から見た斜視図である。整流部材７０は、横長長方形状の６枚の整流板を有するユニット部材である。整流部材７０では、６枚の整流板を横方向に所定間隔を空けて並べ、それらの長手方向の両端をまとめて折り曲げてカシメ固定している。図６，図７に示すように、６枚の整流板は、その両側に配置された一対の端側整流板９１，９２と、端側整流板９１と端側整流板９２との間に各々配置された整流板７１，７２，７３，７４とである。なお、説明の便宜上、端側整流板９１側から端側整流板９２にかけて並ぶ４枚の整流板を、端側整流板９１側から順に整流板７１，７２，７３，７４とする。整流板の枚数はこれに限定されない。
【００３０】
図６に示すように、端側整流板９１，９２の各上端側には、正面視略半円形状の５つの凹部７７が、端側整流板９１，９２の長手方向に所定間隔毎に各々設けられている。端側整流板９１，９２の各下端側にも、正面視略半円形状の５つの凹部７８が、端側整流板９１，９２の長手方向に所定間隔毎に各々設けられている。端側整流板９１に設けた凹部７７，７８と、端側整流板９２に設けた凹部７７，７８とは、整流部材７０の長手方向において同一位置に設けられている。凹部７７，７８では、端側整流板９１，９２と、整流板７１〜７４とが隙間なくプレスされている。互いに上下に位置する凹部７７と凹部７８との間では、各整流板の隙間が確保されている。これにより、整流部材７０の上端部は６つの区画に分けられている。各区画の位置は、バーナ１の上端部に構成される炎口ユニット９５（図１，図２参照）の位置にそれぞれ対応している。
【００３１】
整流部材７０の後端部８１の上部には、互いに離れる方向に延出したフランジ９１Ａ，９２Ａが設けられている。整流部材７０の前端部８２の上部には、互いに離れる方向に延出したフランジ９１Ｂ，９２Ｂが設けられている。フランジ９１Ａ，９２Ａ，９１Ｂ，９２Ｂを、炎口部３０を形成する側板２１，２２の各上端部に係止させることで、炎口部３０の内側に整流部材７０を保持させることができる。
【００３２】
図６乃至図８に示すように、整流部材７０の長手方向の中央部の二箇所の整流部７０Ａ，７０Ｂは、整流板７１〜７４の全てが下端部から上端部まで延設されている。これに対して、整流部材７０の長手方向の両端部側の整流部７０Ｃ，７０Ｄ，７０Ｅ，７０Ｆは、図６，図７，図９に示すように整流板７２，７３は下端部から上端部まで延設されているが、その外側に各々設けられている整流板７１，７４は、下端部が短く切り取られている。従って、図７及び図９に示すように、 端側整流板９１と整流板７２との間に空間部１０２が形成され、また、端側整流板９２と整流板７３との間に空間部１０１が形成されている。
【００３３】
次に、上記構造からなる整流部材７０に形成される淡ガスの流路及びスリット炎孔８７Ａ〜８７Ｅについて、図８及び図９を参照して説明する。端側整流板９１と整流板７１との間には第１流路７７Ａが形成されている。整流板７１と整流板７２との間には第２流路７７Ｂが形成されている。整流板７２と整流板７３との間には第３流路７７Ｃが形成されている。整流板７３と整流板７４との間には第４流路７７Ｄが形成されている。整流板７４と端側整流板９２との間には第５流路７７Ｅが形成されている。尚、中央の第３流路７７Ｃは、その外側の第２流路７７Ｂ、第１流路７７Ａ、第４流路７７Ｄ、第５流路７７Ｅより、狭く形成されている。また、第２流路７７Ｂ及び第１流路７７Ａの下端部には、空間部１０２が形成され、第４流路７７Ｄ及び第５流路７７Ｅの下端部には、空間部１０１が形成されている。
【００３４】
また、端側整流板９１の上端と整流板７１の上端との間にはスリット炎孔８７Ａが形成されている。整流板７１の上端と整流板７２の上端との間にはスリット炎孔８７Ｂが形成されている。整流板７２の上端と整流板７３の上端との間にはスリット炎孔８７Ｃが形成されている。整流板７３の上端と整流板７４の上端との間にはスリット炎孔８７Ｄが形成されている。整流板７４の上端と端側整流板９２の上端との間にはスリット炎孔８７Ｅが形成されている。スリット炎孔８７Ａ〜８７Ｅによって淡炎孔８７を構成している。
【００３５】
次に、淡バーナユニット２０と濃バーナユニット４０との間に形成される濃ガスの流路について、図８及び図９を参照して説明する。淡バーナユニット２０の側板２１と、濃バーナユニット４０の側板４１とに挟まれた間には、濃ガスを分布室５０から濃炎孔９７に供給するための第６流路７６Ａが設けられている。淡バーナユニット２０の側板２２と、濃バーナユニット４０の側板４２とに挟まれた間には、濃ガスを分布室５０から濃炎孔９８に供給するための第７流路７６Ｂが設けられている。
【００３６】
第６流路７６Ａの途中には、淡バーナユニット２０に設けられた凹部２９において流路幅が広くなった均圧室６１が形成されている。第７流路７６Ｂの途中にも、淡バーナユニット２０に設けられた凹部２９において流路幅が広くなった均圧室６２が形成されている。第６流路７６Ａおよび第７流路７６Ｂを流れる濃ガスは、均圧室６１，６２でバーナ１の前後方向にガス圧が均一化され、濃炎孔９７，９８に各々供給される。
【００３７】
次に、淡炎孔８７と、濃炎孔９７，９８との間に形成された環流域１３，１４について、図８を参照して説明する。淡バーナユニット２０の側板２１の上端部と、整流部材７０の端側整流板９１の上端部との間には所定の隙間である環流域１３が設けられている。淡炎孔８７と濃炎孔９７は、環流域１３を介して離間している。淡バーナユニット２０の側板２２の上端部と、整流部材７０の端側整流板９２の上端部との間には所定の隙間である環流域１４が設けられている。淡炎孔８７と濃炎孔９８は、環流域１４を介して離間している。環流域１３，１４では、淡炎孔８７から噴出する淡ガスの流れによって空気の環流が生じる。この環流によって、濃炎孔９７，９８に各々形成される袖火が主炎に引き込まれるので、袖火を主炎の側面に対して干渉させることができる。
【００３８】
次に、バーナ１の組み立て方法について説明する。まず、図４に示す淡バーナユニット２０の上端部に形成された炎口部３０の内側に、図６に示す整流部材７０を上方から挿入する。整流部材７０の両端部に形成されたフランジ９１Ａ、９２Ａ、９１Ｂ、９２Ｂを、淡バーナユニット２０の側板２１，２２の各上端部に係止させる（図２，図３参照）。こうして炎口部３０内に整流部材７０が保持される。
【００３９】
次いで、濃バーナユニット４０の側板４１，４２の各下端部を両側に開き、淡バーナユニット２０を上方から覆って内側に挟み込む。そして、淡バーナユニット２０の炎口部３０に対して、濃バーナユニット４０の炎口部用開口５３を位置させる。図２に示すように、炎口部３０を平面視で見たときに、炎口部用開口５３に設けられた複数の連結片５４は、整流部材７０の端側整流板９１，９２に設けた複数の凹部７７（図６参照）の各位置に対応して配置される。即ち、連結片５４が、整流部材７０に形成される淡炎孔８７を遮ることはない。
【００４０】
一方、図１に示すように、濃バーナユニット４０のカバー部４８（図５参照）を、淡バーナユニット２０のガス通路２７（図４参照）に外側から被せる。このとき、淡バーナユニット２０の分布室２８（図４参照）を覆うように、濃バーナユニット４０の分布室５０が位置する。分布室５０は、淡バーナユニット２０の外面と濃バーナユニット４０の内面との間の隙間で形成される。また、濃ガス導入口４５を形成する側板４１，４２の部分で、淡バーナユニット２０の前端部３３を挟み込む。こうして濃ガス導入口４５の内側が淡バーナユニット２０の前端部３３で左右に分割される。ガス通路４６，４７の内側においても同様である。これにより、濃ガス導入口４５に流入する濃ガスを左右に分流するので、濃炎孔９７，９８に対して濃ガスを均等に供給できる。
【００４１】
次いで、濃バーナユニット４０の前端部５７に設けた細長短冊状のカシメ片５７Ａ，５７Ｂ，５７Ｃ，５７Ｄ（図５参照）を、淡バーナユニット２０の前端部３３を内側に抱き込むように折り曲げてカシメを行う（図１参照）。また、濃バーナユニット４０の後端部５８に設けた細長短冊状のカシメ片５８Ａ，５８Ｂ，５８Ｃ（図５参照）を、淡バーナユニット２０の後端部３５を内側に抱き込むように折り曲げてカシメを行う（図１参照）。最後に、所々をスポット溶接、プレス等を行うことによって、バーナ１の組み立てが終了する。
【００４２】
次に、バーナ１における火炎形成の仕組みについて、図１、図３、図８、図９を参照して説明する。まず、淡ガスがバーナ１を流れて主炎を形成するまでについて説明する。給湯器（図示外）の器具内では、バーナ１の淡ガス導入口２５に対して、淡ガスを噴出する淡ガスノズル（図示外）が臨むようにして配置される。淡ガスノズルから淡ガス導入口２５に淡ガスが噴出される。このとき、淡ガス流によりその周囲から一次空気が取り込まれるので、淡ガス導入口２５には淡ガスと一次空気とが送り込まれる。送りこまれた淡ガスと一次空気はガス通路２６で混合され、ガス通路２７を介して分布室２８に供給される。
【００４３】
分布室２８において、淡ガスはバーナ１の前後方向に拡散しながら上方に流れ、各炎口ユニット９５において、炎口部３０に対して下側から流入する。炎口部３０に流入した淡ガスは、整流部材７０に対して下側から各ガス流路７７Ａ〜７７Ｅ内に流入する（図８参照）。ガス流路７７Ａ〜７７Ｅを流れた淡ガスは、各スリット炎孔８７Ａ〜８７Ｅで燃焼することで、淡炎孔８７に主炎が形成される。この時に、分布室２８から流入する混合ガスの圧力が強くなる混合ガスの流入路８８の直上部に設けられている第３流路７７Ｃは、その外側の第２流路７７Ｂ、第１流路７７Ａ、第４流路７７Ｄ、第５流路７７Ｅより、狭く形成されているので、中央部の第３流路７７Ｃの混合ガスの流量を減少させて、必要以上の量の混合ガスが流れることを防止して炎口での混合ガスの圧力を均一化できる。
【００４４】
また、図９に示すように、分布室２８から流入する混合ガスの圧力が強くなる整流部材７０の長手方向の端部側の整流部７０Ｃ，７０Ｄ，７０Ｅ，７０Ｆでは、第２流路７７Ｂ及び第１流路７７Ａの下端部には、空間部１０２が形成され、第４流路７７Ｄ及び第５流路７７Ｅの下端部には、空間部１０１が形成されているので、広い流路となる空間部１０１，１０２を介して、第１流路７７Ａ、第２流路７７Ｂ、第４流路７７Ｄ及び第５流路７７Ｅに混合ガスが流入する。従って、混合ガスの流れは緩やかとなり、第１流路７７Ａ及び第５流路７７Ｅの下端部の外側に混合ガスの大きな渦流が生じないので、混合ガスの流れが安定して、炎口に形成される火炎が上下に振動することが防止できる。
【００４５】
なお、本発明は、上記実施形態に限定されることなく、各種の変更が可能である。例えば、図１０に示すように、バーナ１００の整流部材７０の中央部に設けられている第３流路７７Ｃの幅を一番狭く、その外側の第２流路７７Ｂ及び第４流路７７Ｄの幅が第３流路７７Ｃの幅より広く、その外側の第１流路７７Ａ及び第５流路７７Ｅの幅が第２流路７７Ｂ及び第４流路７７Ｄの幅より広くなるように構成しても良い。
【符号の説明】
【００４６】
１  バーナ
２  バーナ本体
１３  環流域
１４  環流域
２０  淡バーナユニット
２１，２２  側板
３０  炎口部
４０  濃バーナユニット
４１，４２  側板
７０  整流部材
７１〜７４  整流板
８５Ａ  底面
８５Ｂ  側面
８７  淡炎孔
８８  流入路
９１，９２  端側整流板
９５  炎口ユニット
９７，９８  濃炎孔
１００  バーナ
１０１  空間部
１０２  空間部
【図１】
2010261619.tif 000003
【図２】
2010261619.tif 000004
【図３】
2010261619.tif 000005
【図４】
2010261619.tif 000006
【図５】
2010261619.tif 000007
【図６】
2010261619.tif 000008
【図７】
2010261619.tif 000009
【図８】
2010261619.tif 000010
【図９】
2010261619.tif 000011
【図１０】
2010261619.tif 000012